(57)【要約】【課題】テレビ共同受信施設のように，同軸ケーブルを配管等を利用して，外部から建物内に引きこんだり，建築物内で部屋同士を配設したりする場合に，その配設工事を容易にする。また，コストの安価な同軸ケーブルを供給する。【解決手段】給電或いは伝送用の同軸ケーブルにおいて，当該同軸ケーブルを構成する外皮絶縁体である外部絶縁体の表面の一部若しくは全周に，前記外部絶縁体と一体的に凹凸手段を形成したことを特徴とした同軸ケーブル。【選択図】  図２
2005294026.tif 000002
【特許請求の範囲】
【請求項１】
同軸ケーブルにおいて，
当該同軸ケーブルの外部絶縁体の表面の一部若しくは全周に亘って，凹凸手段を一体形成したことを特徴とした同軸ケーブル。
【請求項２】
前記凹凸手段は，前記外部絶縁体の表面の一部若しくは全周に亘って，前記同軸ケーブルの軸線方向に連続的に一体形成したことを特徴とした請求項１に記載の同軸ケーブル。
【請求項３】
前記外部絶縁体は，可曲性を有する軟質絶縁材であることを特徴とした請求項１又は請求項２に記載の同軸ケーブル。
【発明の詳細な説明】
【技術分野】
【０００１】
本発明は，主に給電用或いは伝送用として使用される同軸ケーブルに関し，同軸ケーブルを配管等に配設する場合において，安価で且つその設置を容易とする同軸ケーブルを提供することにある。
【背景技術】
【０００２】
従来の同軸ケーブルは，製品出荷に当たり単位あたりの長さに束ねるか，ケーブル用ドラムに一定単位に巻き付けるか，いずれかの方法で使用者に提供される。この同軸ケーブルは軟質絶縁体による外皮絶縁体によって保護されると共に，可曲性を確保するように構成されており，使用者は例えばテレビ共同受信施設において，配管等から建物の内部に引き込むことによって工事を行っていた。
また，上述のようなケーブル用ドラムに巻き付けるための操作に耐える剛直性を備えた同軸ケーブルも開示されている。
（例えば，特許文献１参照）
【０００３】
【特許文献１】実開５７−１１５１１８公報
【発明の開示】
【発明が解決しようとする課題】
【０００４】
しかし，従来の同軸ケーブルによると，例えば軟質絶縁体による外皮絶縁体によって保護された同軸ケーブルは，上述のように可曲性を有するものの，その軟質性のために例えば配管等に施設する場合，外皮絶縁体と配管との摩擦が大きくなり，容易に配設（引き込み作業）することができないといった問題があった。
また，可曲性と剛直性を備えた同軸ケーブルは，その可曲性が少なからず悪くなるので，引き込み時の細かい対応がし難くなると共に，その構造によって製造コストが高くなるといった問題があった。
そこで本願においては，こうした問題点を解決するためになされたものであり，
その目的は，配管等への施設工事が容易となる同軸ケーブルを提供することにある。
他の目的は，軟質絶縁体を用いた外皮絶縁体でも，工事し易い同軸ケーブルを提供することにある。
他の目的は，安価で且つ配設作業のしやすい同軸ケーブルを提供することにある。
他の目的は，安価で且つ配設作業のしやすい同軸ケーブルであっても，従来と同様に同軸の種類等の表示が可能な同軸ケーブルを提供することにある。
【課題を解決するための手段】
【０００５】
請求項１の発明は，同軸ケーブルにおいて，当該同軸ケーブルの外部絶縁体の表面の一部若しくは全周に亘って，凹凸手段を一体形成する。
【０００６】
請求項２の発明は，請求項１の同軸ケーブルにおいて，前記凹凸手段は，前記外部絶縁体の表面の一部若しくは全周に亘って，前記同軸ケーブルの軸線方向に連続的に一体形成する。
【０００７】
請求項３の発明は，請求項１又は請求項２に記載の同軸ケーブルにおいて，前記外部絶縁体は，可曲性を有する軟質絶縁材で構成する。
【発明の効果】
【０００８】
請求項１の発明によれば，同軸ケーブルにおいて，当該同軸ケーブルの外部絶縁体の表面の一部若しくは全周に亘って，凹凸手段を一体形成したこと形成したので，
この同軸ケーブルと配設対象との接触面積を減らすことによって，摩擦係数が少なくなり，同軸ケーブルの引き込み作業性の優れた同軸ケーブルを提供することできるのである。更に加えて，本発明の特長である凹凸手段を外部絶縁体５と一体成形で製造可能であるため，製造コストが安価である同軸ケーブルを提供できるのである。
【０００９】
請求項２の発明によれば，請求項１に記載の同軸ケーブルにおいて，前記凹凸手段は，前記外部絶縁体の表面の一部若しくは全周に亘って，前記同軸ケーブルの軸線方向に連続的に一体形成したので，この同軸ケーブルと配設対象との接触面積を減らすことによって，摩擦係数が少なくなり，同軸ケーブルの引き込み作業性の優れた同軸ケーブルを提供することできるのである。更に加えて，本発明の特長である凹凸手段を外部絶縁体５と一体成形で製造可能であるため，製造コストが安価である同軸ケーブルを提供できるのである。
【００１０】
請求項３の発明によれば，請求項１又は請求項２に記載の同軸ケーブルにおいて，前記外部絶縁体は，可曲性を有する軟質絶縁材で形成したので，
当該同軸ケーブルの引き込み時における，建物等の形状に対して細かい配設に柔軟に対応可能な同軸ケーブルを提供できるのである。
【発明を実施するための最良の形態】
【００１１】
以下に，本発明を具体化した実施形態の例を，図面を基に詳細に説明する。
図１（ａ）は本発明に係る第１の実施形態の側面図であり，（ｂ）は横断面図である。図２（ａ）は本発明に係る第２の実施形態の側面図であり，（ｂ）は横断面図である。図３は本発明に係る第２の実施形態の異なる例を示す。
【実施例１】
【００１２】
図１は本願に示す同軸ケーブルの第１の実施形態を示し，（ａ）は側面から見た図であり，（ｂ）はこの実施形態における横断面図である。本発明は上述の欠点を解決するために発明されたものであり，その具体的な実施形態は以下に示す通りである。図１において１は芯線であり，この芯線１の周りには２に示す内部絶縁体を介して編組導体３が形成されている。更に当該編組導体３を介して外部絶縁体５が形成されている。このように構成された同軸ケーブルは一般的に知られているが，本発明においては，このような編組導体３上に形成される外部絶縁体５の表面に，当該絶縁体と一体に凹凸手段６を備えさせたものである。
【００１３】
更に本願の第１の実施形態を詳細に説明すると，外部絶縁体５は，例えば合成樹脂などの可曲性のある軟質絶縁材で形成されており，この外部絶縁体５の表面には凹凸手段６である突条堤部６ａが，同軸ケーブルの全周に亘っ形成されている。この突条堤部６ａは製造工程において，同軸ケーブルの軸線方向に一体的に連続形成されている。この突条堤部６ａの高さは，同軸ケーブルが有する固有の特性インピーダンスを維持する範囲で，且つ，同軸ケーブルの周径は既存の同軸Ｆ型プラグを取付け可能な寸法となっている。
この突条堤部６ａを備えた同軸ケーブルによれば，例えば配管等にこの同軸ケーブルを配設する場合において，配管等との接触面積を少なく押えることができ，配管等との摩擦が酸くなることから，当該配管等への引き込みが容易にできるのである。
尚，この同軸ケーブルは内部絶縁体２と編組導体３との間にアルミラミネートを設けたものでもよく，実施例に限定されるものではない。
【実施例２】
【００１４】
次に，本発明の第２の実施形態について説明する。尚，以下の説明では，上記第１の実施形態の同軸ケーブルと同様の構成要素については同一符号を付与し，詳細な説明は省略する。この実施例は，前記突条堤部６ａを全周に形成しない例であって，一部に従来の外部絶縁体の表面と同様な状態に仕上げたものである。この突条堤部６ａが無い部分は，本願の第２の実施形態では，外部絶縁体５の周面の相互に対向する位置に任意の幅を持って２ヶ所設けた例を示す。この部分は例えば同軸ケーブルのインピーダンスの表示，ケーブルの名前，生産国表示，製造元等の表示をさせるための表示部６ｂであってもよく，従来の製造工程と同様な工程で前記表示を可能にするものである。従って，表示をするのに必要な幅を持たせるだけでよく，この表示部６ｂによって本発明の配設工事のし易さを大幅に損なうことはない。
尚，この表示部６ｂは連続的に設ける必要も無く，適宜必要な位置に設けても良い。この場合，表示部６ｂと表示部６ｂとの軸方向の間には前記突条堤部６ａを形成しても良いことは言うまでもない。
【００１５】
このように本発明の同軸ケーブルによれば，可曲性を有した軟質絶縁体からなる外部絶縁帯５の周面に，任意の幅で形成された突条堤部６ａを一体形成することによって，この同軸ケーブルと配設対象との接触面積を減らすことによって，摩擦係数が少なくなり，同軸ケーブルの引き込み作業性の優れた同軸ケーブルを提供することできるのである。更に加えて，本発明の実施形態によれば，本発明の特長である突条堤部６ａを外部絶縁体５と一体成形で製造可能であるため，製造コストが安価である同軸ケーブルを提供できるのである。また，突条堤部６ａを適宜配置させることによって，同軸ケーブルのインピーダンスの表示，ケーブルの名前，生産国表示，製造元等の表示をさせることも可能であるので，商品価値においても従来の同軸ケーブルより更に優れた製品を提供できるのである。
尚，本発明は上記実施の形態に限定されるものではなく，例えば突条堤部を連続的に形成する必要が無く，任意の長さでランダムに形成してもよい，また，突条堤部の形状は実施形態に限定されるものでない等，本発明の趣旨を逸脱しない範囲で各部の構成を適宜に変更して実施することも可能である。
【図面の簡単な説明】
【００１６】
【図１】（ａ）は本発明に係る第１の実施形態の側面図であり，（ｂ）は横断面図である。
【図２】（ａ）は本発明に係る第２の実施形態の側面図であり，（ｂ）は横断面図である。
【図３】第２実施形態の他の実施例である。
【符号の説明】
【００１７】
１…芯線，２…内部絶縁帯，３…変粗導体，５…外部絶縁体，６…凹凸手段，６ａ…突条堤部，６ｂ…表示部 
【図１】
2005294026.tif 000003
【図２】
2005294026.tif 000004
【図３】
2005294026.tif 000005